(57)【特許請求の範囲】
【請求項１】
広告媒体に表示された広告の種別を判別し種別情報を取得する種別判別手段及び所定の携帯情報端末と光通信を行ない該広告媒体に表示された広告に関する情報の取得要求を受信する光通信手段を有し、広告の種別を表す種別情報が印された広告媒体を中吊りすると共に、該光通信手段が受信した該取得要求と該種別判別手段が取得した該種別情報と該広告媒体が中吊りされた位置情報とを出力する広告掲示部と、
前記広告掲示部に中吊りされた前記広告媒体に表示された広告に関する情報を蓄積する広告情報蓄積手段と、
前記広告掲示部から出力された前記種別情報に基づいて前記取得要求に対応する前記広告に関する情報を前記広告情報蓄積手段から抽出し、抽出された該情報を前記位置情報に対応する前記光通信手段に送信する情報制御手段と、を備えたことを特徴とする情報提供装置。
【請求項２】
前記広告掲示部は、前記広告媒体を挟むことにより該広告媒体を中吊りすると共に、該広告媒体の所定箇所に設けられた穴の位置と数とを検出するバインダを有し、
前記種別判別手段は、前記バインダにより検出された前記穴の位置と数とにより前記種別情報を取得することを特徴とする請求項１記載の情報提供装置。
【請求項３】
所定の携帯情報端末と光通信を行なう光通信手段により、中吊りされた所定の広告媒体に表示された広告に関する情報の取得要求を受信し、受信した該取得要求に対応する情報を広告情報蓄積手段から抽出し、抽出された該情報を前記所定の携帯情報端末に送信する情報提供装置に用いるプログラムが記憶された記憶媒体であって、
前記所定の広告媒体に表示された広告に関する情報を該広告の種別を表す種別情報と共に前記広告情報蓄積手段に蓄積する段階と、
前記所定の広告媒体に表示された広告に関する情報の取得要求が受信されたとき、受信された該取得要求に係る広告の種別情報と該広告を表示する該所定の広告媒体の位置情報を取得する段階と、
取得した前記種別情報に基づいて前記広告情報蓄積手段に蓄積された前記広告に関する情報を抽出する段階と、
抽出した前記広告に関する情報を、前記位置情報に基づいて前記光通信手段から前記所定の携帯情報端末に送信させる段階とを有するプログラムが記憶されたことを特徴とする記憶媒体。
【発明の詳細な説明】
【０００１】
【発明の属する技術分野】
本発明は、中吊り広告、看板、ビデオ広告等の広告情報提供サービスにおいて効率的な情報サービスを提供する情報提供方法及び装置、並びに、情報制御プログラムを格納した記憶媒体に関する。
【０００２】
【従来の技術】
従来、中吊り広告による宣伝は、中吊り広告で宣伝される実体について情報受領者の興味、関心を惹くような実体の内容の要約を紙等の広告媒体に表示し、広告媒体を吊り下げることができるように、広告媒体をバインダ器具によって挟むことにより行われている。
【０００３】
広告の実体について興味、関心を抱いた情報受領者は、吊り下げられた広告媒体上に表示された範囲内で実体についての情報を入手することができる。
【０００４】
【発明が解決しようとする課題】
しかしながら、上記従来の中吊り広告による宣伝には以下の問題点がある。
第１に、情報受領者は、興味、関心を抱いた時、場所で、広告媒体に表示された範囲の情報しか入手することができないので、実際にその実体の内容が、本来必要としていた情報であるかどうかを判断するためには情報量が不足し、その結果として、宣伝されている内容をより詳細に知るために、例えば、宣伝されている実体を入手しようと決意するには至らない場合がある。
【０００５】
第２に、たとえ情報受領者が興味を抱き、実体の内容について詳しく知りたいと決意するに至ったとしても、実体の内容を即座に調べることができる環境にはなく、実際にその実体の内容を入手可能な状態になるまでに、時間的、空間的な差が生じる。従って、情報受領者は広告によって興味を抱いた実体の内容を入手することを失念し、或いは、その実体についての興味を失う可能性がある。
【０００６】
本発明は、上記の従来の問題点に鑑み、中吊り広告、看板、ビデオ広告等の広告情報提供サービスにおいて、情報受領者が広告されている実体に対し、興味、関心を抱いた場所及び時間で、その実体についてのより詳しい情報が提供される情報提供方法及び情報提供装置、並びに、情報制御プログラムを格納した記憶媒体の提供を目的とする。
【０００７】
更に、本発明は、かかる広告情報提供サービスにおいて利用される広告掲示装置の提供を目的とする。
【０００８】
【課題を解決するための手段】
本発明は、中吊り広告、看板、ビデオ広告等の広告媒体を利用した広告情報の提供サービスにおける情報提供方法であって、光通信機能等の無線通信機能を有した携帯情報端末と、上記広告媒体に関連し光通信機能等の無線通信機能を有した広告掲示部との間で、光通信等の無線通信を介して上記広告媒体で表される広告情報の種別に応じた情報通信を行う。
【０００９】
従って、本発明によれば、情報受領者は広告媒体に掲示されている広告に興味、関心を抱いたその場で広告掲示部からその広告についての情報を取得することが可能である。
上記本発明の情報提供方法において、上記広告情報の種別を上記広告掲示部で判別してもよい。
【００１０】
図１は本発明の原理を説明するための図である。同図に示す如く、本発明の情報提供方法は、
広告媒体により表される広告に関する情報を登録する段階（ステップ１０１）と、
携帯情報端末から、光通信等の無線通信を介して、掲示された上記広告媒体により表される広告に関する情報の取得要求を受信する段階（ステップ１０２）と、
上記登録された広告に関する情報の中から、上記情報の取得要求に応じて広告に関する情報を取得する段階（ステップ１０３）と、
上記情報の取得要求に応じた広告に関する情報を、光通信等の無線通信を介して、上記携帯情報端末に送信する段階（ステップ１０４）とからなる。
【００１１】
上記情報を取得する段階（ステップ１０３）は、上記掲示された広告媒体に表された広告の種別を判別し、上記広告の種別に基づいて、上記登録された広告の中から対応する広告に関する情報を取得してもよい。
図２は、中吊り広告、看板、ビデオ広告等の広告媒体を利用した広告情報の提供サービスにおいて利用される、本発明の情報提供装置の原理構成図である。
【００１２】
本発明の情報提供装置２は、
光通信等の無線通信を介して携帯情報端末４に接続される通信手段１２を有し、上記携帯情報端末４との間で広告媒体６で表された広告に関する情報の情報通信を行う広告掲示手段１０よりなる。
本発明の情報提供装置２は、上記広告媒体６で表された広告に関する情報を蓄積する情報蓄積手段２０を更に有する点が有利である。この場合に、上記広告掲示手段１０は、上記情報蓄積手段２０に蓄積された広告に関する情報の中で、上記携帯情報端末４から受けた情報取得要求に対応した情報を上記携帯情報端末４に送る。
【００１３】
本発明の情報提供装置２は、上記広告掲示手段１０に接続され、上記広告掲示手段１０から上記情報取得要求を受け、上記情報取得要求に対応した情報を上記情報蓄積手段２０に蓄積された広告に関する情報の中から取り出し、取り出された情報を上記広告掲示手段１０に返す情報制御手段３０を更に有する点が有利である。上記広告掲示手段１０は、上記情報取得要求を上記情報制御手段３０に供給し、上記情報制御手段３０から上記情報取得要求に対応した情報を取得する。
【００１４】
更に、上記広告掲示手段１０は、上記広告媒体６で表された広告の種別を判別する種別判別手段１４を有する点が有利である。
本発明は、更に、中吊り広告、看板、ビデオ広告等の広告媒体を利用した広告情報サービスにおいて利用され、光通信等の無線通信を介して携帯情報端末に接続される通信手段１２を有し、上記携帯情報端末との間で上記広告媒体で表された広告に関する情報の情報通信を行う広告掲示装置１０である。
【００１５】
上記広告掲示装置１０は、上記広告媒体で表された広告の種別を判別する種別判別手段１４を有する点が有利である。
本発明は、中吊り広告、看板、ビデオ広告等の広告媒体を利用した広告情報の提供サービスにおいて、情報制御プログラムを格納した記憶媒体である。本発明の記憶媒体は、上記広告媒体により表される広告に関する情報を登録させるプロセスと、携帯情報端末からの掲示された上記広告媒体により表される広告に関する情報の取得要求を受信させるプロセスと、上記登録された広告に関する情報の中から、上記情報の取得要求に応じて広告に関する情報を取得させるプロセスと、上記情報の取得要求に応じた広告に関する情報を、上記携帯情報端末に送信させるプロセスとからなる情報制御プログラムを格納する。
【００１６】
【発明の実施の形態】
以下、光通信機能を有した携帯情報端末と、光通信機能を有し、広告を掲示する中吊り広告掲示部との間で光通信による情報通信を行う中吊り広告情報提供システムについて説明する。
図３は、本発明の一実施例による情報提供システムの動作シーケンスを説明する図である。以下、同図を参照して本発明による情報提供システムの動作原理を説明する。
【００１７】
携帯情報端末の光通信部を、広告を掲示する中吊りバインダー部の光通信部に向け、初期情報の取得依頼を発生する（ステップ１）。
中吊りバインダー部は、実際に吊り下げられている広告媒体の広告の種別を判別し（ステップ２）、中吊りバインダー部の位置情報及び広告の種別情報を情報制御システムに送信する（ステップ３）。
【００１８】
情報制御システムは、広告の種別情報を判定し（ステップ４）、該当する情報を情報蓄積装置から取得し（ステップ５）、送信された位置情報に基づいて、該当する中吊りバインダー部に広告初期情報を送信する（ステップ６）。
中吊りバインダー部は、情報制御システムから送られた広告初期情報を携帯情報端末に送信する（ステップ７）。
【００１９】
携帯情報端末は、送られてきた初期情報を表示し、利用者がその情報を閲覧する（ステップ８）。
利用者が更に詳しい情報を取得したい場合には、携帯情報端末の光通信部を中吊りバインダー部の光通信部に向け、更なる情報取得依頼を行う（ステップ９）。これにより、上記ステップ２乃至ステップ８が繰り返し行われ、利用者は広告に関する更なる情報を閲覧することが可能である。
【００２０】
このように、本発明の一実施例の情報提供システムによれば、中吊り広告を見た利用者は、興味の引かれた広告に関する更なる情報を要求することにより、その場で直ちにより詳しい情報の提供を享受することが可能になる。
【００２１】
【実施例】
図４は、本発明の一実施例による広告情報提供システムの構成図である。同図に示す如く、広告情報提供システムは、情報受領者である各利用者毎の携帯情報端末４００、情報携帯端末４００と光通信部３１０を介して接続された中吊りバインダー部３００とを有する。中吊りバインダー部３００は、中吊りバインダー部３００に掲示されている広告の種別を判別する情報種別判別部３２０を更に有する。
【００２２】
広告情報提供システムは、更に、各中吊りバインダー部３００の光通信部３１０を制御する光通信制御部１２０と、各中吊りバインダー部３００１からの情報に基づいて、携帯情報端末４００からどの情報が要求されているかを判断、制御する情報制御部１１０とからなる情報制御システム１００を有する。更に、広告情報提供システムは、実際に利用者が閲覧する情報を保持する情報蓄積装置２００を含む。
【００２３】
以下、図３の動作シーケンスに従って、図４の実施例を説明する。
ステップ１：光通信機能を有した携帯情報端末４００を有する利用者は、中吊り広告を見ていて興味を惹かれた広告があった場合には、中吊り広告を吊しているバインダー部３００の光通信部３１０に自分の携帯情報端末４００の光通信部を向け、初期情報要求の信号を発する。
【００２４】
ステップ２：初期情報要求の信号を受けた中吊りバインダー部３００の光通信部３１０は、携帯情報端末４００との間にコネクションを張る。また、情報種別判別部３２０により、実際に吊している情報種別を判別する。
ここで、情報種別判別部の実施例について考えられる実施例を説明する。図５は本発明の実施例による中吊りバインダー部の概略図である。中吊りバインダー部３００は、その片側に情報種別判別部３２０を有する。この情報種別判別部３２０は、数個のスイッチ（同図に○で示されている）の配列により構成され、このスイッチを利用して数ビットの種別情報を読みとる。
【００２５】
図６は１個のスイッチを図５に関して側面から見たスイッチの構造を示す図である。同図に示される如く、例えば、広告紙面はバインダー部により挟まれる。このとき、バインダー部に取り付けられた球体によって挟まれる広告紙には、球体に対応した位置に穴があけられた場所と、穴があけられていない場所とが設けられる。穴があけられている場所では、紙面の両側にある球体と球体とが接触するので通電する。一方、穴があけられていない場所では、球体と球体とは接触しないので、通電が生じない。かくして、紙面上の穴の有無により、球体の個数、即ち、スイッチの桁数分の｛０，１｝で表された数桁ビットで、実際に吊されている広告紙の情報種別が表され、これを用いて掲示されている広告の種別情報が判別される。
【００２６】
ステップ３：中吊りバインダー部３００の位置情報及び掲示された広告の種別情報が中吊りバインダー部３００から情報制御システム１００の情報制御部１１０に送信される。
ステップ４：位置情報及び種別情報を受信した情報制御部１１０は、種別情報が現在該当個所に吊されている筈の広告の種別情報と一致するかどうかを判定する。例えば、広告の張り替えミスや張り替え忘れのチェックミスのため、判定の結果が一致しない場合には、現在吊されている筈の広告の種別情報を利用してもよい。
【００２７】
ステップ５：情報制御部１１０は、種別情報が現在吊されている筈の広告の種別と一致した場合、吊されている広告用の初期情報を情報蓄積装置２００から取得する。
ステップ６：情報制御部１１０は、情報蓄積装置２００から受け取った初期情報を位置情報で示された光通信部３１０に送信する。
【００２８】
ステップ７：初期情報を受け取った光通信部３１０は、ステップ２において張られたコネクションを保持する携帯情報端末４００に初期情報を送信する。
ステップ８：初期情報は、例えば、ＨＴＭＬ等のマークアップ言語で記述され、携帯情報端末４００は当該マークアップ言語を理解するブラウザを使用して、受け取った初期情報を利用者に表示する。利用者は、中吊り広告に掲示された広告に関係した初期情報が表示されたブラウザの画面を閲覧し、興味を惹かれた広告に相当するアンカー部分をクリックできる点が有利である。尚、携帯情報端末４００に送られる情報は、必ずしも、マークアップ言語で記述する必要はなく、より詳しい情報への経路を辿ることができる記述方式であればよい。
【００２９】
ステップ９：利用者は、リンクされた情報を取得するため、自分の携帯情報端末４００の光通信部をバインダー部３００の光通信部３１０に向け、更なる情報要求の信号を発する。以下、ステップ２乃至ステップ８を同様に繰り返すことにより更なる情報が利用者に提供される。
上記本発明の実施例による情報提供システムは、電車やバスなどの公共交通機関内の中吊り広告、デパート等に掲載されている広告、看板、若しくは、ビデオ広告等の各種広告において利用可能である。
【００３０】
また、上記の実施例では、情報提供装置の構成要件に基づいて説明しているが、この例に限定されることなく、情報提供装置１００の各々の構成要件をソフトウェア（プログラム）で構築し、ディスク装置等に格納しておき、必要に応じて情報提供装置のコンピュータにインストールして広告情報を提供するサービスを行うことも可能である。さらに、構築されたプログラムをフロッピーディスクやＣＤ−ＲＯＭ等の可搬記憶媒体に格納し、このようなシステムを用いる場面で汎用的に使用することも可能である。
【００３１】
本発明は、上記の実施例に限定されることなく、特許請求の範囲内で種々変更・応用が可能である。
【００３２】
【発明の効果】
上述のように、本発明の情報提供方法及び情報提供装置によれば、利用者が広告を見て、興味を惹かれた広告の更なる情報を求めた場合に、光通信機能等の無線通信機能を有した携帯情報端末を利用することによって、その場で直ぐにより詳しい情報の提供を受けることが可能になる。
【図面の簡単な説明】
【図１】本発明の原理説明図である。
【図２】本発明の原理構成図である。
【図３】本発明の一実施例による情報提供システムの動作シーケンスチャートを示す図である。
【図４】本発明の一実施例による広告情報提供システムの構成図である。
【図５】本発明の一実施例による中吊りバインダー部の概略図である。
【図６】本発明の一実施例による情報種別判別部の概略図である。
【符号の説明】
２    情報提供装置
４    携帯情報端末
６    広告媒体
１０    広告掲示手段
１２    通信手段
１４    種別判別手段
２０    情報蓄積手段
３０    情報制御手段
【図１】
0003584688.tif 000002
【図２】
0003584688.tif 000003
【図３】
0003584688.tif 000004
【図４】
0003584688.tif 000005
【図５】
0003584688.tif 000006
【図６】
0003584688.tif 000007